(57)【要約】【課題】本発明の目的は、給紙部の調整項目のプリセットを、必要な印刷用紙情報を入力することで精度よく行うことにより、印刷作業時における調整作業を不要とし、資材の浪費を回避し、かつ印刷作業能率を向上させる枚葉印刷機の給紙装置を提供することを目的とする。【解決手段】本発明は、給紙パイルに収納された印刷用紙を、１枚ずつ分離させ、フィーダーボードに乗せて印刷部に送り込むように構成された給紙手段を有する枚葉印刷機の給紙装置であって、前記印刷用紙の紙種、坪量、寸法を入力する手段と、入力された紙種、坪量、寸法より、分離エア供給ノズルへの分離エア供給量、さばきエア供給ノズルへのさばきエア供給量、印刷用紙を吸着するサッカーへの吸着圧を計算する計算装置と、分離エア供給ノズルへの分離エア供給量、さばきエア供給ノズルへのさばきエア供給量、印刷用紙を吸着するサッカーへの吸着圧を自動で調整する手段により構成される、枚葉印刷機の給紙装置である。【選択図】図１
2018100169.tif 000002
【特許請求の範囲】
【請求項１】
枚葉印刷機の給紙部において、印刷用紙の紙種、坪量、寸法を入力する手段と、入力された紙種、坪量、寸法より、分離エア供給ノズルへの分離エア供給量、さばきエア供給ノズルへのさばきエア供給量、真空吸着するサッカーへの吸着圧を計算する計算装置と、分離エア供給ノズルへの分離エア供給量、さばきエア供給ノズルへのさばきエア供給量、印刷用紙を吸着するサッカーへの吸着圧を自動で調整する手段により構成される、枚葉印刷機の給紙装置。
【発明の詳細な説明】
【技術分野】
【０００１】
本発明は枚葉印刷機において給紙を行う装置に関する。
【背景技術】
【０００２】
枚葉印刷機においては、給紙部において、給紙パイルに収納された印刷用紙を、印刷用紙吸着手段であるサッカーにより吸着させ、同時に分離エア供給手段からの空気により分離させ、さばきエア供給手段からの空気により１枚毎にさばき、さばかれた用紙をサッカーが吸着したままフィーダーボードに送り出し、印刷部に送り込むようになっている。
【０００３】
前記分離エア供給手段の分離エア供給量、さばきエア供給手段のさばきエア供給量、あるいは印刷用紙吸着手段であるサッカー吸着圧等のプリセットは、印刷用紙の紙種や紙厚及び寸法に基づき、オペレータが手動で行っている。
【０００４】
このプリセットはオペレータが行うが、習熟度により差が生じ、経験の浅いオペレータには精度の高いプリセットは困難である。プリセットが不十分であると、印刷用紙の分離不良による紙の２枚取り、印刷用紙のさばき不良によるフィーダーボード上での用紙の曲りによる給紙部での紙詰まり、サッカーの吸着過剰による印刷用紙へのサッカー吸着跡の発生、サッカーの吸着不足による印刷用紙のサッカーからの脱落などが発生し、給紙不良となって印刷作業を停止させる。このため印刷作業時に給紙状態を見ながら微調整を行わざるを得なくなり、この調整のために無駄な印刷用紙の消費が発生し、また、調整作業のために無駄な作業時間を要し、資材の浪費及び印刷作業能率の低下を来す。
【０００５】
給紙部の調整項目を自動的に行う方法としては、印刷用紙の紙種、坪量、紙寸法、紙目を含む紙質データに基づく給紙手段のプリセット量が設定されたプリセット設定テーブルを作成し、該プリセット設定テーブルから、紙質データの入力値に対応するプリセット量を選出する方法が紹介されている（例えば、特許文献１参照）。
【０００６】
この方法では、プリセットされる項目中に、給紙パイルに収納された印刷用紙を、１枚ずつ分離させ、フィーダーボードに乗せて印刷部に送り込むように構成された給紙手段における、用紙を吸着し、フィーダーボードに送り出す印刷用紙吸着手段であるサッカーの設定が行われていない。このため印刷用紙は、紙種に関わらず常に一定の吸着圧で吸着されることとなる。この結果、印刷用紙の坪量が小さい薄紙の場合は、サッカーの吸着跡が凹みとして残ることとなり、印刷品質を低下させる。また、印刷用紙の坪量が大きい場合は、紙を吸着する圧力が不足して、サッカーより印刷用紙が脱落し、給紙不良となって印刷機が停止し、印刷作業能率の低下を来すこととなる。更に印刷用紙の表面に塗工を施さない非塗工紙の場合、サッカーでの真空引きが、印刷用紙の繊維の間を透過し、本来印刷する印刷用紙の下の印刷用紙を吸着する、いわゆる２枚取りが発生し、その結果、給紙不良となって印刷機が停止し、資材の浪費及び印刷作業能率の低下を来すこととなる。
【先行技術文献】
【特許文献】
【０００７】
【特許文献１】特開２００１−８０７５０号公報
【発明の概要】
【発明が解決しようとする課題】
【０００８】
本発明の目的は、給紙部の調整項目のプリセットを、必要な印刷用紙情報を入力することで精度よく行うことにより、印刷作業時における調整作業を不要とし、資材の浪費を回避し、かつ印刷作業能率を向上させる枚葉印刷機の給紙装置を提供することを目的とする。
【課題を解決するための手段】
【０００９】
本発明は、給紙パイルに収納された印刷用紙を、１枚ずつ分離させ、フィーダーボードに乗せて印刷部に送り込むように構成された給紙手段を有する枚葉印刷機の給紙装置であって、前記印刷用紙の紙種、坪量、寸法を入力する手段と、入力された紙種、坪量、寸法より、分離エア供給ノズルへの分離エア供給量、さばきエア供給ノズルへのさばきエア供給量、印刷用紙を吸着するサッカーへの吸着圧を計算する計算装置と、分離エア供給ノズルへの分離エア供給量、さばきエア供給ノズルへのさばきエア供給量、印刷用紙を吸着するサッカーへの吸着圧を自動で調整する手段により構成される、枚葉印刷機の給紙装置である。
【発明の効果】
【００１０】
本発明により、印刷作業時における調整作業を不要とし、資材の浪費を回避し、かつ印刷作業能率を向上させる給紙装置が提供できる。これにより、オペレータの経験と勘に頼ることなく、短時間で印刷作業を開始することができ、大幅な省力化を図ることができる。
【図面の簡単な説明】
【００１１】
【図１】本発明による枚葉印刷機の給紙装置の概略図。
【図２】本発明による、坪量から分離エア供給ノズルへの分離エア供給量の計算用係数Ｃ１を計算する、印刷用紙の紙種毎のグラフ。
【図３】本発明による、坪量からさばきエア供給ノズルへのさばきエア供給量の計算用係数Ｃ２を計算する、印刷用紙の紙種毎のグラフ。
【図４】本発明による、坪量からサッカーの吸着圧の計算用係数Ｃ３を計算する、印刷用紙の紙種毎のグラフ。
【発明を実施するための形態】
【００１２】
以下に、本発明による実施例を示す。
【００１３】
図１に、本発明による装置の概略図を示す。装置は給紙パイル上の印刷用紙（５）と、印刷用紙をさばき、フィーダーボード（６）へと送り出すセパレータ（１）、セパレータに接続され、印刷用紙を真空吸着するサッカー（２）、セパレータに接続され、印刷用紙をさばくさばきエア供給ノズル（３）、セパレータに接続され、印刷用紙を一枚毎に分離する分離エア供給ノズル（４）、入力された紙種、坪量、寸法より、分離エア供給ノズルへの分離エア供給量、さばきエア供給ノズルへのさばきエア供給量、真空吸着するサッカーへの吸着圧を計算する計算装置（７）、及び印刷用紙の紙種、坪量、寸法を入力する手段（８）により構成される。
【００１４】
印刷開始前に、印刷用紙の紙種、坪量、寸法を入力する手段（８）により、用紙の情報を計算装置（７）に入力する。この入力手段においては、キーボード等、通常のコンピュータ入力に用いられる手段を用いる。
【００１５】
つぎに、計算装置（７）は、入力された印刷用紙の紙種から図２に示した紙種毎の分離エア供給量の計算用係数を計算するグラフを選択し、坪量を入力する。これより坪量に対応した分離エア供給量の計算用係数Ｃ１が計算される。
【００１６】
つぎに、計算装置（７）は、入力された寸法より、印刷用紙の面積を計算する。
【００１７】
最後に、計算装置（７）は、印刷用紙の面積と、分離エア供給量の計算用係数Ｃ１を乗じて、分離エア供給量を算出する。
【００１８】
記憶装置（７）は、計算結果に基づき、分離エア供給量を設定する。この時、分離エア供給ノズルには、分離エア供給量調整用のバルブまたはコック等の調整機構を設けておき、モーターやアクチュエーター等にて必要な供給量となるように開度を調整する。
【００１９】
同様に、計算装置（７）は、入力された印刷用紙の紙種から図３に示した紙種毎のさばきエア供給量の計算用係数を計算するグラフを選択し、坪量を入力する。これより坪量に対応したさばきエア供給量の計算用係数Ｃ２が計算される。
【００２０】
つぎに、計算装置（７）は、入力された寸法より、印刷用紙の面積を計算する。
【００２１】
最後に、計算装置（７）は、印刷用紙の面積と、さばきエア供給量の計算用係数Ｃ２を乗じて、さばきエア供給量を算出する。
【００２２】
記憶装置（７）は、計算結果に基づき、さばきエア供給量を設定する。この時、さばきエア供給ノズルには、さばきエア供給量調整用のバルブまたはコック等の調整機構を設けておき、モーターやアクチュエーター等にて必要な供給量となるように開度を調整する。
【００２３】
同様に、計算装置（７）は、入力された印刷用紙の紙種から図４に示した紙種毎のサッカー吸着圧の計算用係数を計算するグラフを選択し、坪量を入力する。これより坪量に対応したサッカー吸着圧の計算用係数Ｃ３が計算される。
【００２４】
つぎに、計算装置（７）は、入力された寸法より、印刷用紙の面積を計算する。
【００２５】
最後に、計算装置（７）は、印刷用紙の面積と、サッカー吸着圧の計算用係数Ｃ３を乗じて、サッカー吸着圧を算出する。
【００２６】
記憶装置（７）は、計算結果に基づき、サッカー吸着圧を設定する。この時、サッカーは圧力計を介して真空ポンプに接続され、サッカーへの真空圧を自動で調整する手段の制御により、圧力計が設定真空圧（吸着圧）になるまで真空ポンプを作動させる。
【００２７】
設定完了後に、枚葉印刷機を運転することにより、分離エア供給ノズルへの分離エア供給量、さばきエア供給ノズルへのさばきエア供給量、印刷用紙を吸着するサッカーへのサッカー吸着圧が高精度に設定されることで調整作業が不要となり、印刷初期段階より確実なフィーダーボード上への印刷用紙の給紙が行われ、印刷作業能率を向上することができるとともに、資材浪費を回避することができる。
【産業上の利用可能性】
【００２８】
本発明による枚葉印刷機の給紙装置は、印刷産業分野、特にオフセット枚葉印刷機に好適に使用することができる。
【符号の説明】
【００２９】
（１）セパレータ
（２）サッカー
（３）さばきエア供給ノズル
（４）分離エア供給ノズル
（５）印刷用紙
（６）フィーダーボード
（７）計算装置
（８）印刷用紙の紙種、坪量、寸法を入力する手段
【図１】
2018100169.tif 000003
【図２】
2018100169.tif 000004
【図３】
2018100169.tif 000005
【図４】
2018100169.tif 000006